(57)【要約】      （修正有）【課題】  Ｗｅｂページドキュメント閲覧者は自分に適合した個性化表示を行いたい。【解決手段】  サーバ１００内に、Ｗｅｂページドキュメント作成時に埋め込まれた操作部のプログラム（Ａ）１１５、閲覧者に合った画面を提供する個性化機能を有するプログラム（Ｂ）１１６、同一のタイプの閲覧者が最もよく閲覧しているかを集計し、集計結果を基に順位を表示するタイプ別利用順位を表示する機能のプログラム（Ｃ）１１７，（Ｄ）１１８、Ｗｅｂページドキュメントのサイズ・色彩を変更できるプログラム（Ｅ）１２５、閲覧中のＷｅｂページドキュメントに対して補足説明や要約を表示するメモを付加するプログラム（Ｆ）１２３、および、Ｗｅｂページドキュメント毎に閲覧した際に意見投稿ができるページ掲示板機能を有するプログラム（Ｈ）１２１，（Ｇ）１２２を格納する。【選択図】      図２
2005063118.tif 000002
【特許請求の範囲】
【請求項１】
ネットワークを介してサーバおよびクライアント端末が接続され、Ｗｅｂページに付加的な情報や機能を付加することが可能な利便性付加機能のサービス提供方法であって、
前記Ｗｅｂページ利便性付加機能を実行するサーバ側およびクライアント側の各プログラムを全て該サーバ側に格納しておき、Ｗｅｂページ閲覧時にクライアント側で必要なクライアント側のプログラムをクライアント端末に自動的にダウンロードして実行し、該プログラムの機能または該プログラムと該サーバ側のプログラムとの間での送受信による機能によって、複数の利便性付加機能のうちの指定された機能を動作させ、
かつ前記複数の利便性付加機能のうちの指定された機能に対して、閲覧者の好みを登録しておき、次回以降も、前記Ｗｅｂページのアクセス時には、登録されている好みに合わせて個性化した表示にすることを特徴とするＷｅｂページの利便性付加機能のサービス提供方法。
【請求項２】
請求項１記載のＷｅｂページの利便性付加機能のサービス提供方法において、
前記クライアント端末から任意のＷｅｂページにアクセスされた際に、閲覧者のタイプと閲覧したページの情報をタイプ別利用順位を表示するためのデータベースに登録し、利用情報の統計を取り、当該クライアント端末の閲覧者が該Ｗｅｂページにアクセスした時に、該閲覧者のタイプで利用頻度が高い情報を提供することを特徴とするＷｅｂページの利便性付加機能のサービス提供方法。
【請求項３】
請求項１記載のＷｅｂページの利便性付加機能のサービス提供方法において、
前記クライアント端末から任意のＷｅｂページにアクセスされた際に、サイズ・色彩変更機能として拡大、縮小あるいは色の指定を受けることにより、文字およびデザインを含めた画像全体もしくはその一部分について、Ｗｅｂページの表示サイズを拡大するか、縮小するか、あるいは、色変更を行うことを特徴とするＷｅｂページの利便性付加機能のサービス提供方法。
【請求項４】
請求項１記載のＷｅｂページの利便性付加機能のサービス提供方法において、
前記クライアント端末から任意のＷｅｂページにアクセスされた際に、閲覧者の好みのＷｅｂページに対して任意の位置に付箋紙を貼り、該付箋紙にメモを記入することができ、該メモの一覧あるいは全てのメモ中の任意の語句を検索した結果の一覧を表示し、該一覧表示の中から任意のメモを選択することで、当該メモが付加されたページを表示することを特徴とするＷｅｂページの利便性付加機能のサービス提供方法。
【請求項５】
請求項１記載のＷｅｂページの利便性付加機能のサービス提供方法において、
１つ以上の前記Ｗｅｂページ毎に掲示板を設置し、該Ｗｅｂページ上に該掲示板への投稿手段を設けることができ、該掲示板に投稿したならば、該投稿データをサーバに送信し、該投稿データを該サーバのデータベースに書き込み、あるいは画面に表示することを特徴とするＷｅｂページの利便性付加機能のサービス提供方法。
【請求項６】
請求項１記載のＷｅｂページの利便性付加機能のサービス提供方法において、
閲覧者により任意のＷｅｂページがアクセスされた際に、該Ｗｅｂページを前記サーバに送信し、該サーバは各Ｗｅｂページに対する１つ又は複数の説明文が格納されたデータベースから、条件に合致する説明文を抽出してクライアントに送信し、該説明文を表示することを特徴とするＷｅｂページの利便性付加機能のサービス提供方法。
【発明の詳細な説明】
【技術分野】
【０００１】
本発明は、Ｗｅｂページドキュメント閲覧時において、付加的な情報や機能を追加し、その情報の表示状態や機能の利用状態を各閲覧者がそれぞれ自分に合った形式を選択することで、各閲覧者の利便性を向上させることが可能なＷｅｂページの利便性付加機能のサービス提供方法に関する。
【背景技術】
【０００２】
近年、インターネットが急速に普及して、幼児から高齢者まで、あるいはパソコン初心者から熟練者まで、健常者や障害者にかかわらず、あらゆる人が情報発信・情報収集の場としてインターネットを活用している。
例えば、自動的に幼児には簡易な言葉で情報を提供したり、高齢者や視覚障害者には大きな文字や画像で情報を表示するように、閲覧者毎に異なる情報を表示する個性化（パーソナライズ化）することが望ましいが、このような機能を実現することは従来は難しかった。
すなわち、従来のホームページでは、文字を拡大または縮小する方法として、ブラウザの文字サイズの設定により行っている。しかし、この手段では表示サイズの変更が行なえるのは文字のみに対してだけであり、画像あるいは画像に含まれる文字のサイズを変更することはできない。さらにホームページを作成するタグに文字サイズが固定で書かれている場合には、文字の拡大または縮小を行うことができなかった。
また、ブラウザの文字サイズの拡大または縮小方法としては、その操作方法を文章で説明されている場合が多く、閲覧者にとって、拡大する前の文字サイズで記載されている文章を読むことは負担が大きかった。
また、Ｗｅｂサイトが大きく様々な情報が集っている場合には、主婦や学生などの閲覧者のタイプによって、よく閲覧するページが偏る可能性が大きく、この場合には、閲覧者が属するタイプがよく利用するＷｅｂページドキュメントがどれであるのかが表示されていると、閲覧者は円滑に自分が欲しい情報を閲覧できる可能性が高い。
【０００３】
しかし、従来より、Ｗｅｂページとして表示されるドキュメントは静的なものであり、いずれの閲覧者に対しても同一の内容が表示されるのが一般的である。そして、上述のような個性化（パーソナライズ化）された情報の表示を実現するためには、サーバ側で動的にＷｅｂページを生成する必要があり、そのためのシステムを構築することは経費と労力が必要であった。
また、閲覧者が次回の閲覧時に利用するための情報等を、閲覧中のＷｅｂページに付加するというように、閲覧中のＷｅｂページに対する閲覧者側からの個人による変更は難かしく、それを実現するためには、前述と同様にサーバ側でシステムを用意し、各閲覧者が設定した内容に合ったページを個別に生成する必要があった。
【０００４】
さらに、パーソナライズ化や閲覧者毎の情報の付加を行うためには、それらにかかる必要な情報をサーバ側に保存しなければならないが、そのためのサーバ側のシステムを用意する必要があった。
また、近年は、閲覧者同士の情報交換の場、あるいは閲覧者からＷｅｂサイト運営者への意見投稿の場として、掲示板が利用されている。しかし、これはインターネット初心者にとっては利用に対して敷居が高いものであった。
また、従来の掲示板は、特定の場所に投稿する方法であって、あるＷｅｂページに対する意見を掲示板に書き込むためには、掲示板のあるＷｅｂページを移動しなければ利用することができず、意見を書き込む際に毎回閲覧者の名前などを記入しなければならないため、閲覧者にとって利便性に欠ける部分があり、Ｗｅｂページの運営者にとっても意見を収集し難い、という問題点があった。
なお、Ｗｅｂページに付箋紙を貼付する方法は、既に提案されている（非特許文献１参照）。ただし、これはクライアント上で動作するアプリケーションプログラムである。
【０００５】
【非特許文献１】ＷｅｂＦＵ１０００  ｆｏｒ  Ｉｎｔｅｒｎｅｔ  Ｅｘｐｌｏｒｅｒ    インターネット〈ＵＲＬ：ｈｔｔｐ：／／ｗｗｗ．ｆｏｒｅｓｔ．ｉｍｐｒｅｓｓ．ｃｏ．ｊｐ／ａｒｔｉｃｌｅ／２００３／０３／１９／ｄｏｑｕｂａｋｏ７５．ｈｔｍｌ〉
【発明の開示】
【発明が解決しようとする課題】
【０００６】
このように、従来のＷｅｂページの閲覧においては、閲覧者毎に異なる情報を表示する個性化（パーソナライズ化）が望ましいが、このような機能を実現することは難しかった。  また、ブラウザの文字サイズの拡大または縮小方法としては、文章で説明されている場合が多いため、閲覧者にとって拡大する前の文字サイズで記載されている文章を読むことには負担が大きく、画像あるいは画像に含まれる文字のサイズを変更することもできなかった。
また、Ｗｅｂページに付箋紙を貼付する場合、クライアント上のプログラムだけで行っていたため、予め閲覧者がそのプログラムを用意する必要があり、Ｗｅｂサイトのサービスとして、そのような機能を実現することは難しかった。
また、掲示板に投稿する場合には、任意のＷｅｂページではなく、特別に用意された場所の掲示板に投稿する方法であったが、投稿の際にはその掲示板設置場所まで移動しなければならないなど、閲覧者にとっては利便性に欠ける部分があった。
【０００７】
（目的）
そこで、本発明の目的は、閲覧者毎に異なる情報を個性化（パーソナライズ化）して表示することが可能であり、かつ閲覧者が簡単な操作で様々な利便性を付加した機能を取得できるＷｅｂページの利便性付加機能のサービス提供方法を実現することにある。
【課題を解決するための手段】
【０００８】
本発明によるＷｅｂページの利便性付加機能のサービス提供方法は、ネットワークを介してサーバおよびクライアント端末が接続され、Ｗｅｂページに付加的な情報や機能を付加することが可能な利便性付加機能のサービス提供方法であって、前記Ｗｅｂページ利便性付加機能を実行するサーバ側およびクライアント側の各プログラムを全て該サーバ側に格納しておき、動作が開始されると、前記クライアント側のプログラムを自動的にクライアント端末にダウンロードして実行し、該プログラムの機能または該サーバ側のプログラムとの間での送受信による機能によって、複数の利便性付加機能のうちの指定された機能を動作させ、次回以降、前回指定された機能を動作させることも可能とし、かつ表示画面の色、文字のサイズ、配置などを閲覧者の好みを登録しておき、次回以降、登録された好みに合わせて個性化した表示にすることを特徴としている。
【０００９】
本発明によるＷｅｂページの利便性付加機能のサービス提供方法では、前記クライアント端末から任意のＷｅｂページにアクセスされた際に、閲覧者のタイプと閲覧したページの情報をタイプ別利用順位を表示するためのデータベースに登録し、利用情報の統計を取り、当該クライアント端末の閲覧者が該Ｗｅｂページにアクセスした時に、該閲覧者のタイプで利用頻度が高い情報を提供することを特徴としている。
本発明によるＷｅｂページの利便性付加機能のサービス提供方法では、前記クライアント端末から任意のＷｅｂページにアクセスされた際に、サイズ・色彩変更機能として拡大、縮小あるいは色の指定を受けることにより、デザインおよび文字を含めた全体画面もしくはその一部分に対して、Ｗｅｂページの表示サイズを拡大するか、縮小するか、あるいは、色変更を行うことを特徴としている。
【００１０】
本発明によるＷｅｂページの利便性付加機能のサービス提供方法では、前記クライアント端末から任意のＷｅｂページにアクセスされた際に、閲覧者の好みのＷｅｂページに対して任意の位置に付箋紙を貼り、該付箋紙にメモを記入することができ、該メモの一覧あるいは全てのメモ中の任意の語句を検索した結果の一覧を表示し、該一覧表示の中から任意のメモを選択することで、当該メモが付加されたページを表示することを特徴としている。
本発明によるＷｅｂページの利便性付加機能のサービス提供方法では、１つ以上のＷｅｂページ毎に掲示板を設置し、該Ｗｅｂページから投稿したならば、投稿データを前記サーバに送信し、該投稿データを該サーバのデータベースに書き込み、あるいは画面に表示することを特徴としている。
【００１１】
本発明によるＷｅｂページの利便性付加機能のサービス提供方法では、閲覧者により任意のＷｅｂページがアクセスされた際に、該Ｗｅｂページを前記サーバに送信し、各Ｗｅｂページに対する１つ又は複数の説明文が格納されたデータベースから、条件に合致する説明文を抽出して前記クライアントに送信し、該説明文を表示することを特徴としている。
【発明の効果】
【００１２】
上記の各手段を設けることにより、Ｗｅｂページの閲覧者は、自分に合った情報や、その表現方法を選択することができるとともに、次回の閲覧時に利用するための情報を閲覧中のＷｅｂページに付加することができる。その結果、インターネット運用者はＷｅｂページに利便性向上のための価値を付加した情報を閲覧者に提供することができる。
【発明を実施するための最良の形態】
【００１３】
以下、本発明の実施の形態を、図面により詳細に説明する。
図１は、本発明の一実施例を示すポータル機能付加システムの全体ブロック構成図である。
システム全体としては、図１に示すように、インターネットあるいはイントラネット等のネットワーク網２００を介して接続されたサーバ１００と、複数のクライアント３００とから構成される。
本実施形態では、サーバ１００内に利便性付加機能のサービスを提供するサーバ側プログラムとクライアント側プログラムの両方を格納しておき、起動されると、クライアント側プログラムをクライアント端末３００に自動的にダウンロードすることにより、サーバ側プログラムとクライアント側プログラムとの間でデータ送受信を行わせることで、Ｗｅｂページの利便性付加機能を閲覧者に提供する。
【００１４】
まず、本実施形態の各機能がどのようにして作動するかについて説明する。
クライアント端末３００の画面上で、ホームページアクセス時、あるいはホームページ上の各機能を開始するためのリンク操作時に、別ウィンドウ（コントロールページ）のポップアップにて、スライドバー表示エリアを表示する。なお、同一のウィンドウ内に表示することも可能である。スライドバーを左右することにより、ページ全体の拡大または縮小を行う機能が作動する。
また、コントロールページ内に、他のボタンを配置することで、それを選択することにより、ホームページの文字およびデザインは勿論のこと、背景を含めて画像全体のサイズの拡大、または縮小、または色の変更を行う機能が作動する。例えば、白背景に黒文字のページあるいは黄色背景に青文字のページ等が表示される。
上記画面全体の拡大、縮小または色変更の場合、文字サイズのみならず、画像も含めた全てを拡大できるため、ページを閲覧する際に読み難いまたは見え難い部分の全てを見易くすることができる。
一目で使い方が分かるようにしているため、表示サイズの拡大または縮小を行う際のユーザの操作の迷いを削減できる。
【００１５】
Ｗｅｂページ付箋紙機能では、Ｗｅｂページに付箋紙を貼付する仕組みである。この仕組みは、サーバ側に格納されたプログラムであるため、閲覧側（クライアント側）にはプログラムは不要となる。Ｗｅｂページ内で気になったページに付箋を貼付することができ、その付箋には自由にコメントを記述することができる。貼付した付箋は、次回そのユーザがそのページをアクセスした際、同位置に同内容で表示される。また、閲覧者が貼付した付箋の一覧表示を行うことができる。
【００１６】
ページ掲示板付加機能サービスでは、ページ閲覧時に、閲覧中のページに対して意見を投稿することができる。ページ毎にページ掲示板を作成することができる。
ページ説明付加機能サービスでは、ページ表示時に、そのページの説明（概要または補足説明等）を表示する。また、説明内のリンククリックで関連情報を別ウィンドウで表示させることも可能である。
【００１７】
図２は、図１におけるサーバ内のファイルおよびプログラムの構成図である。
サーバ１００内に、本実施形態で提供されるＷｅｂページの利便性付加機能サービスのプログラムが全て格納される。中心的存在となるのはプログラム（Ａ）１１５（操作部のプログラム）であって、このプログラム１１５の下に、個性化機能サービスを提供するプログラム（Ｂ）１１６、学生、主婦、社会人、障害者、老人、幼児などのタイプ別に利用順位の情報を表示する機能を持つクライアント側のプログラム（Ｃ）１１７とサーバ側のプログラム（Ｄ）１１８、ページ掲示板に投稿できるようにしたサーバ側のプログラム（Ｈ）１２１とクライアント側のプログラム（Ｇ）１２２、ページの説明を行うクライアント側のプログラム（Ｉ）１１９とサーバ側のプログラム（Ｊ）１２０、Ｗｅｂページ内の任意の場所に付箋を貼付できるプログラム（Ｆ）１２３、およびサイズまたは色彩を変更する機能を有するプログラム（Ｅ）１２５が従属配置されている。
【００１８】
プログラム（Ａ）１１５が起動すると、従属された上記各プログラムが順次起動する。なお、サイズまたは色彩の変更機能を有するプログラム（Ｅ）１２５、Ｗｅｂ付箋紙機能を有するプログラム（Ｆ）１２３および個性化機能を有するプログラム（Ｂ）１１６は、これだけでそれぞれの機能を逐行できるが、それ以外のプログラムは、サーバ側プログラムとクライアント側プログラムとの連携によりそれぞれの機能を逐行する。この場合、起動されると、クライアント側プログラムがクライアント端末に自動的にダウンロードされた後、サーバ側プログラムとの間でデータの送受信を行うことで、付加機能のサービスを提供する処理を行う。ただし、タイプ別利用順位を表示する機能のプログラム（Ｃ）１１７，（Ｄ）１１８のように複数閲覧者のデータを集計したり、ページ掲示板機能を有するプログラム（Ｇ）１２２，（Ｈ）１２１などのように、複数閲覧者のデータを統合したり、ページ説明機能を有するプログラム（Ｉ）１１９，（Ｊ）１２０のように、閲覧者が用意したデータを扱う必要があるものは、そのデータを格納するデータベースをサーバ側に配置すると共に、そのデータを読み書きするプログラムをサーバ側で実行し、このサーバ側のプログラムとクライアント側のプログラムが通信を行って処理を行うことにより、必要な機能を実現する。これにより、クライアントに予めプログラムをインストールすることなく、サーバ側で用意されたサービスとして種々の機能を提供することができる。
サーバ１００に格納されているのは、プログラムの他に、ページ掲示板機能を有するデータベース（Ｂ）１１１、タイプ別利用順位を表示する機能を有するデータベース（Ａ）１１２、ページ説明機能を有するデータベース（Ｃ）１１３、Ｗｅｂページ１３０およびＷｅｂページドキュメント（Ａ）１４０、Ｗｅｂページドキュメント（Ｂ）１２４などのファイル類である。
【００１９】
以下、詳細に説明すると、従来は、閲覧者はクライアント端末のブラウザにより同一の内容が表示されていたので、個性化される画面や、利便性付加機能の画面を表示することは簡単でなかったが、本実施形態においては、これらの個性化画面や利便性付加機能の画面を実行するプログラムを全てサーバ側に配置しておき、起動と同時に自動的に指定されたクライアント側プログラムを端末に自動的にダウンロードするので、通常とは異なる画面を表示することが可能となる。
サーバ１００に格納されるプログラムおよびファィル類は、通常のＷｅｂページとなる複数のＷｅｂページ１３０と、操作部となるＷｅｂページドキュメント（Ａ）１４０および操作部のプログラム（Ａ）１１５、個性化機能を有するプログラム（Ｂ）１１６、タイプ別利用順位を表示する機能を有するクライアント側のプログラム（Ｃ）１１７、タイプ別利用順位を表示する機能を有するサーバ側のプログラム（Ｄ）１１８、タイプ別利用順位を表示する機能を有するデータベース（Ａ）１１２、ページ説明機能を有するデータベース（Ｃ）１１３、サイズまたは色彩を変更する機能を有するＷｅｂページドキュメント（Ｂ）１２４、サイズまたは色彩を変更する機能を有するプログラム（Ｅ）１２５、ページ掲示板の機能を有するサーバ側のプログラム（Ｈ）１２１、ページ掲示板の機能を有するクライアント側のプログラム（Ｇ）１２２、ページ掲示板の機能を有するデータベース（Ｂ）１１１、Ｗｅｂ付箋紙の機能を有するプログラム（Ｆ）１２３、ページ説明の機能を有するクライアント側のプログラム（Ｉ）１１９、およびページ説明の機能を有するサーバ側のプログラム（Ｊ）１２０である。
【００２０】
図３は、クライアント端末内に従来より格納されているプログラムおよびファイルの構成図である。
本実施形態の個性化のためのプログラムと利便性付加機能のためのプログラムは全てサーバ１００側に配置しておくが、それ以外のプログラムおよびファイルは従来通りクライアント端末３００に設置される。
図３に示すように、クライアント端末３００には、Ｗｅｂページを表示するためのプログラムであるＷｅｂブラウザ３０１と、Ｗｅｂブラウザ３０１上でプログラムを実行するためのプログラム実行環境３０２と、本実施形態の個性化機能に必要なパーソナライズ（個性化）のデータと各機能の設定データを保存するクライアント側のデータファイル３０３が格納されている。
クライアントファイル３０３には、図９に示すクライアント基本データ５０７と、図１０に示すクライアント付箋データ５０９とが格納されている。クライアント基本データ５０７としては、名前、年齢、閲覧者タイプ、順位集計期間、画面表示倍率、および画面色彩設定である。また、クライアント付箋データとしては、ＵＲＬ、付箋が貼付される位置のＸ座標、Ｙ座標、および付箋紙に書込まれた内容である。
【００２１】
図４は図３の各プログラムおよびページドキュメントおよびデータベース、データファイルの配置場所と実行場所の対応図である。
図２のタイプ別利用順位を表示する機能を有するデータベース（Ａ）１１２には、図５に示すページ閲覧データ５０１が格納されている。データとしては、ＵＲＬ、ページタイトル、閲覧者タイプおよび閲覧日時である。また、ページ掲示板データベース（Ｂ）１１１には、図６に示すページ掲示板一覧データ５０２および図７に示すページ掲示板内容データ５０３が格納されている。ページ掲示板一覧データ５０２としては、掲示板ＩＤ、ＵＲＬ、掲示板名、説明およびタイプである。また、ページ掲示板内容データとしては、掲示板ＩＤ、投稿ＩＤ、親投稿ＩＤ、タイトル、投稿者ＩＤ、投稿者名、内容および投稿日時である。
さらに、図２のページ説明機能を有するデータベース（Ｃ）１１３には、図８に示すページ説明データ５０５が格納されている。ページ説明データとしては、ＵＲＬ、説明文１、説明文１対象閲覧者タイプ、説明文２および説明文２対象閲覧者タイプである。
【００２２】
図２５は、本発明の全体概要フローチャートである。
閲覧が開始されると、個性化（パーソナライズ化）の画面（例えば、障害者用、老人用、幼児用、主婦用、社会人用などの画面）を表示するための入力を要求する。入力が要求された場合には（ステップ９０１）、タイプ、名前、年齢が入力される（ステップ９０２）。入力された情報により個性化の画面のどれに該当するかを判断する。また、閲覧中のＷｅｂページで以前に付箋を作成したか否かを判断し（ステップ９０３）、作成していれば、付箋紙を表示する（ステップ９０４）。作成していなければ、閲覧中のＷｅｂページに閲覧者のタイプに合わせた説明が用意されているか否かを判断し（ステップ９０５）、用意されていれば、ページ説明を表示する（ステップ９０６）。用意されていないときには、利便性付加機能のメニューを表示し（ステップ９０７）、そのメニューから機能を選択させる（ステップ９０８）。機能選択されたならば、選ばれた機能により、タィプ・名前・年齢の変更（ステップ９０９）、タイプ別利用順位の表示（ステップ９１０）、掲示板への投稿を促し（ステップ９１１）、Ｗｅｂ付箋紙作成一覧表示および検索を行う（ステップ９１２）。
機能が選択されないときには、Ｗｅｂページのリンク操作があるか否かを判断し（ステップ９１３）、あれば、リンクされたＷｅｂページを表示する（ステップ９１５）。また、リンク操作がなければ、閲覧は終了してよいか否かを判断し（ステップ９１４）、閲覧終了するか、あるいは、再度の処理（ステップ９０７〜９１３）を行う。
【００２３】
図２６は、本発明の全体動作のフローチャートである。
このフローは、サーバ１００に格納されているプログラムの全体処理動作を示している。  起動により、閲覧が開始されると（ステップ１００１）、ファイル取得処理（ステップ１００２）により、(1)(2)(3)の３つのファイル取得動作がサーバを通じて行われる。そして、操作部のプログラム（Ａ）１１５が実行され（ステップ１００３）、閲覧が終了する（ステップ１００４）。すなわち、図２６では、ファイル取得処理（ステップ１００２）でサーバ１００に格納されている必要なファイルが取得され、操作部プログラム実行（ステップ１００３）により、このプログラムに従属している全てのサーバ側プログラムとクライアント側プログラム（単独プログラムを含む）が動作することになる。従って、本実施形態で示すプログラムとファイルが全て起動されることになる。
【００２４】
クライアント３００は、ネットワーク網２００を通じてサーバ１００に接続され、Ｗｅｂページ１３０をＷｅｂブラウザ３０１によりロードしてクライアント側画面に表示する（ステップ１００１，１００２）。Ｗｅｂページ１３０には、操作部Ｗｅｂページドキュメント１４０が埋め込まれており、Ｗｅｂブラウザ３０１ではＷｅｂページ１３０の表示時に操作部のＷｅｂページドキュメント１４０もロードされて画面に表示される（ステップ１００２)（2)。
さらに、操作部のＷｅｂページドキュメント１４０には、操作部のプログラム（Ａ）１１５が埋め込まれており、操作部のＷｅｂページドキュメント（Ａ）１４０の表示時に操作部のプログラム（Ａ）１１５がロードされ（ステップ１００２)(3)、プログラム実行環境３０２によって操作部のプログラム（Ａ）１１５が実行される（ステップ１００３）。
【００２５】
図１１は、個性化付加機能のためのパーソナライズのデータ入力画面を示す図であり、図２７は本発明の操作部のプログラム（Ａ）のフローチャート、図２８は同じく個性化機能を有するプログラム（Ｂ）の動作フローチャートである。
図２７と図２８では、画面の基本ＵＩ（ユーザインタフェース）が表示されて、ここで付加機能サービスの指定を取り止めたり、新たに付加機能サービスの指定を行ったりすることができる。そして、図２７（ａ）では、パーソナライズ（個性化）機能、Ｗｅｂ付箋紙機能、ページ説明機能、ページ掲示板機能の各プログラムの取得（ステップ１０１２）と実行（ステップ１０１３）とデータの取得（ステップ１０１４）が行われる。Ａを介して、図２８（ａ）に示すパーソナライズ機能プログラムが起動し、再度、図２７（ｂ）に戻って、操作部のプログラム（Ａ）１１５が動作する。
【００２６】
図２の操作部のプログラム（Ａ）１１５は、Ｗｅｂページ１３０上に基本的なＵＩ（ユーザインターフェイス）を表示し（図２７のステップ１０１１）、さらにネットワーク網２００を通じてサーバ１００内のパーソナライズ機能プログラム１１６をロードして（ステップ１０１２）、図３のクライアントのデータファイル３０３の存在を確認する（ステップ１０２１）。この際に、クライアントのデータファイル３０３がない場合には、Ｗｅｂページ１３０上にＵＩ（ユーザインターフェイス）を表示し（ステップ１０２２）、図１１に示すように、閲覧者に個性化機能を指定するデータの入力を求め(ステップ１０２３）、クライアントのデータファイル３０３を作成し（ステップ１０２４）、入力された値を書き込む（ステップ１０３１）。図２７（ｂ）に戻ると、ＵＲＬが画面上で変更された場合には（ステップ１０１６）、個性化機能のプログラム（Ｂ）１１６からデータを取得し（ステップ１０１９）、サーバ１００にデータ送信する（ステップ１０２０）。ＵＲＬが変更されない場合には、機能選択があるか否かを判断し（ステップ１０１７）、選択があれば、選択機能を実行する（ステップ１０１８）。
画面の上方のＵＩ（ユーザインタフェース）内に個性化（パーソナライズ）の選択領域が設けられる。ここでは、高齢者、主婦、社会人、学生、外国人のうちのいくつかを選択できるようになっている。
【００２７】
図１２は、各機能選択画面を示す図であり、図２９は本発明のタイプ別利用順位の機能を有するサーバ側のプログラム（Ｄ）の動作フローチャートである。
図１２の画面は、本実施形態に示す各付加機能サービスの画面を選択するための各機能選択画面であって、画面のＵＩに選択ボタン４１５が表示される。
図２の操作部のプログラム（Ａ）１１５は、Ｗｅｂページ１３０上に、図１２に示すような各機能を起動させるためのＵＩ（ユーザインターフェイス）を表示し（図２７のステップ１０１５）、閲覧者の利用する機能の選択を待つ。
また、操作部のプログラム（Ａ）１１５は、複数のＷｅｂページ１３０を閲覧者が移動して閲覧しているのを監視しており、閲覧者がどのＷｅｂページ１３０を閲覧しているかの情報であるＵＲＬとそのＷｅｂページのタイトルを、個性化機能を有するプログラム（Ｂ）１１６を通じて取得したクライアントのデータファイル３０３内の閲覧者タイプ情報と共に、ネットワーク網２００を通じてサーバ１００内のタイプ別利用順位を表示する機能を有するサーバ側のプログラム（Ｄ）１１８に送信する（図２７のステップ１０２０）。
タイプ順位を表示する機能を有するサーバ側のプログラム（Ｄ）１１８は、データを受信すると（ステップ１０６１）、受け取ったデータを基にタイプ別利用順位を表示する機能を有するデータベース（Ａ）１１２のページ閲覧データに値を書き込む（図３１のステップ１０６２）。
【００２８】
図１３は、タイプ別利用順位表示画面を示す図であり、図３０は本発明のタイプ別利用順位を表示する機能を有するクライアント側のプログラム（Ｃ）の動作フローチャートである。
図１３では、清掃・リサイクル、くらし・手続き、申請書のダウンロード、講座・催し物、保健だより等のボタンが表示されている。
クライアント端末３００では、操作部のプログラム（Ａ）１１５によってＷｅｂページ１３０上に表示された各機能を起動させるためのボタン群の中から、閲覧者が利用する機能を選択する（図２７のステップ１０１７）。
タイプ別利用順位表示機能が選択された場合、操作部のプログラム（Ａ）１１５はネットワーク網２００を通じてサーバ１００内のタイプ別利用順位を表示する機能を有するクライアント側のプログラム（Ｃ）１１７をロードして実行する（図２７（ｂ）のステップ１０１８）。タイプ別利用順位を表示する機能を有するクライアント側のプログラム（Ｃ）１１７は、個性化機能を有するプログラム（Ｂ）１１６を通じて取得したクライアントのデータファイル３０３内の閲覧者タイプ情報を、ネットワーク網２００を通じてサーバ１００内のタイプ別利用順位を表示する機能を有するサーバ側のプログラム（Ｄ）１１８に送信する（図３０のステップ１０７２）。
【００２９】
タイプ別利用順位を表示する機能を有するサーバ側のプログラム（Ｄ）１１８は、受け取ったデータを基にタイプ別利用順位を表示する機能を有するデータベース（Ａ）１１２のページ閲覧データから（図２９のステップ１０６４）、クライアントから送信された閲覧者タイプでの各Ｗｅｂページの閲覧数を集計し（図２９のステップ１０６５）、上位となったＷｅｂページのＵＲＬとページタイトルを返信する（図２９のステップ１０６６）。  返信を受け取った（図３０のステップ１０７３）タイプ別利用順位を表示する機能のクライアント側のプログラム（Ｃ）１１７は、その情報を基にＷｅｂページ１３０上に一覧を表示する（図３０のステップ１０７４）。また、前述のように、図２７の基本ＵＩ表示で、閲覧者タイプの変更、集計期間の変更を行うことができるが、閲覧者によってこれらの値が選択され直された場合には、個性化機能のプログラム（Ｂ）１１６を通じてクライアントのデータファイル３０３の内容を更新する（図３０のステップ１０７７）と共に、再度タイプ別利用順位を表示する機能を有するサーバ側のプログラム（Ｄ）１１８と通信を行い、選択された値に合った順位一覧の再表示を行う（図３０のステップ１０７８）。
【００３０】
図１４は、サイズ・色彩変更機能の表示を示す図であり、図３１は本発明のサイズ・色彩を変更する機能を有するプログラム（Ｅ）の動作フローチャートである。
サイズ・色彩変更機能は、図１４のＵＩ上の選択ボタンを選択することで、サイズまたは色彩が選択された場合、操作部のプログラム（Ａ）１１５はネットワーク網２００を通じてサーバ１００内のサイズ・色彩を変更する機能を有するＷｅｂページドキュメント（Ｂ）１２４をロードして表示する（図３１のステップ１０８２）。さらに、サイズ・色彩を変更する機能を有するＷｅｂページドキュメント（Ｂ）１２４には、サイズ・色彩を変更する機能を有するプログラム（Ｅ）１２５が埋め込まれており、サイズ・色彩を変更する機能のＷｅｂページドキュメント１２４の表示時にプログラム実行環境３０２によってサイズ・色彩を変更する機能を有するプログラム（Ｅ）１２５が実行され（図３１のステップ１０８３）、ＵＩをサイズ・色彩を変更する機能のＷｅｂページドキュメント（Ｂ）１２４に表示する（図３１のステップ１０８５）。
図１４では、左側に、表示サイズと色彩の変更選択画面として、１００％目盛と画面カラーの通常か白黒かの選択画面が示され、右側に、選択後に変更された画面が示される。
【００３１】
図１５は表示サイズ変更（拡大）の場合の画面を示す図であり、図１６は表示サイズ変更（縮小）の場合の画面を示す図であり、図１７は色彩変更の場合の画面を示す図であり、図４６は、図面サイズ変更・色変更別実現形式の説明図である。
サイズ・色彩を変更する機能のＷｅｂページドキュメント（Ｂ）１２４のＵＩにおいて、閲覧者は表示サイズの変更、色彩の変更が可能である（図３１のステップ１０８６）。
表示サイズの変更を行った場合、サイズ・色彩変更機能プログラム１２５は選択された表示サイズに合わせ、表示中のＷｅｂページ１３０の表示サイズを変更する（図３１のステップ１０８８）。
色彩の変更を行った場合、サイズ・色彩を変更する機能を有するプログラム（Ｅ）１２５は、選択された色彩に合わせ、表示中のＷｅｂページ１３０の色彩を変更する（図３１のステップ１０９０）。
また、この際に設定された、表示サイズおよび色彩は個性化機能を有するプログラム（Ｂ）１１６を通じてクライアントのデータファイル３０３に保存され（図３１のステップ１０９１）、サイズ・色彩を変更する機能を有するプログラム（Ｅ）１２５のロード時に参照される（図３１のステップ１０８４）ことにより、次回のサイズ・色彩変更機能利用時には、前回設定した内容でサイズ・色彩変更機能を利用するので、無条件で表示することができる。
次に、画面の一部分のサイズや色を変更する場合を、図４６により説明する。図４６の左のＷｅｂページ表示画面でマウスで指し示している箇所の周辺が拡大されて、右のコントロール画面上に表示されている。コントロール画面で、『大』または『小』のボタンを押すことによって拡大率が変更できる。また、コントローラで『白黒』を選択した場合には、コントローラで拡大表示されている部分が白黒表示される。なお、サイズ変更・色変更に関して、画面全体を対象にするか、一部分を対象にするかは、サイト運営者が選択するものとする。
【００３２】
図１８は、Ｗｅｂ付箋紙機能（作成）の画面を示す図であり、図３２は本発明のＷｅｂ付箋紙機能を有するプログラム（Ｆ）の動作フローチャートである。
Ｗｅｂ付箋紙機能が選択された場合、操作部のプログラム（Ａ）１１５が起動時に予めネットワーク網２００を通じてサーバ１００内からロードし実行していた（図２７のステップ１０１３）、Ｗｅｂ付箋紙の機能を有するプログラム（Ｆ）１２３をＷｅｂページ１３０上にＵＩを表示する（図３２のステップ２００４）。ＵＩでは、付箋の作成、一覧の表示、付箋の検索が可能である（図３２のステップ２００５）。
付箋の作成を行う場合は、図１８のＵＩ１５１上で付箋として書き込みたい内容を記入し（図３２のステップ２００７）、作成ボタンを押下することにより、その内容が記載された付箋紙１５２が表示中のＷｅｂページ１３０上に表示される（図３２のステップ２００３）（図１８の４５２）。この付箋紙１５２は、閲覧者のドラッグ等の操作により、同じＷｅｂページ１３０中の任意の位置へ移動させることができる（図３２のステップ２００６）。
【００３３】
この付箋紙１５２の入力内容と対照ＷｅｂページＵＲＬおよび表示位置は、パーソナライズ機能プログラム１１６を通じてクライアントのデータファイル３０３内のクライアント付箋データに保存される（図３２のステップ２０１３）。Ｗｅｂ付箋紙機能を有するプログラム（Ｆ）１２３は、閲覧者がＷｅｂページを移動して表示する毎に、そのＷｅｂページに付箋が貼られていないかをクライアントのデータファイル３０３内のクライアント付箋データを基に判断し（図３２のステップ２００２）、データ内に付箋データがあった場合には、そのデータの内容に合わせてＷｅｂページ１３０上に付箋紙を表示する（図３２のステップ２００３）。これにより、誤りなく、貼付された全ての付箋紙を表示することができる。
【００３４】
図１９は、Ｗｅｂ付箋紙機能（一覧）の画面を示す図である。
付箋の一覧を表示する場合には、Ｗｅｂ付箋紙の機能を有するプログラム（Ｆ）１２３は個性化機能を有するプログラム（Ｂ）１１６を通じてクライアントのデータファイル３０３内のクライアント付箋データを読み込み、その一覧をＷｅｂページ１３０上に表示する（図３２のステップ２００８）。
一覧の中より、表示させたい付箋を選択すると(図３２のステップ２０１４）、対象のＷｅｂページ１３０とその付箋が表示される（図３２のステップ２０１５）。
【００３５】
図２０は、Ｗｅｂ付箋紙機能（検索）の画面を示す図である。
付箋の一覧を表示する場合には、ＵＩ上で検索したい語句を入力することにより（図３２のステップ２０１０）、クライアントデータファイル３０３内のクライアント付箋データから、指定した語句を含むデータが抽出され、その一覧をＷｅｂページ１３０上に表示される（図３２のステップ２０１２）。一覧の中より、表示させたい付箋を選択すると（図３２のステップ２０１４）、対象のＷｅｂページ１３０とその付箋が表示される（図３２のステップ２０１５）。
【００３６】
図２１は、ページ説明の画面を示す図であり、図３３は本発明のページ説明機能クライアントプログラムの動作フローチャート、図３４は同じくページ説明機能サーバプログラムの動作フローチャート、図３５は同じくページ掲示板機能クライアントプログラムの動作フローチャートである。
ページ説明機能とページ掲示板機能は、操作部のプログラム（Ａ）１１５が起動時に予めネットワーク網２００を通じてサーバ１００内から、ページ説明機能を有するクライアント側のプログラム（Ｉ）１１９とページ掲示板機能を有するクライアント側のプログラム（Ｇ）１２２をロードして実行されており（図２７のステップ１０１３）、閲覧中のＷｅｂページ１３０によってページ説明、ページ掲示板機能の各動作の有無が決定される。
ページ説明機能とページ掲示板機能では、閲覧中のＷｅｂページ１３０のＵＲＬを随時取得し、そのＵＲＬの変更を検知しており（図３３のステップ２０２２)、図３５のステップ２０４２）、初回起動時およびＵＲＬ変更時にはそれぞれ所定の動作を行う。
【００３７】
ページ説明機能では、初回起動時およびＵＲＬ変更時に、ページ説明機能クライアントプログラムが、現在閲覧中のＷｅｂページ１３０のＵＲＬとパーソナライズ機能プログラム１１６を通じて取得したクライアントデータファイル３０３内の閲覧者タイプ情報をネットワーク網２００を通じて、サーバ１００内のページ説明機能を有するサーバ側のプログラム（Ｊ）１２０に送信する（図３３のステップ２０２３）。これらの情報を受け取ったページ説明機能を有するサーバ側のプログラム（Ｊ）１２０は、受け取ったデータを基にページ説明機能のデータベース（Ｃ）１１３のページ説明データから、合致する説明文を検索し（図３４のステップ２０３３）、合致する説明文があった場合には、クライアントにその説明文を返信する（図３４のステップ２０３４）。返信を受け取ったページ説明機能を有するクライアント側のプログラム（Ｉ）１１９は、その説明文をＷｅｂページ１３０上に表示する（図３３のステップ２０２５）。
【００３８】
図２２は、ページ掲示板機能（投稿）の画面を示す図であり、図３６は本発明のページ掲示板機能サーバプログラムの動作フローチャートである。
ページ掲示板機能では、初回起動時およびＵＲＬ変更時に、ページ掲示板機能を有するクライアント側のプログラム（Ｇ）１２２が現在閲覧中のＷｅｂページ１３０のＵＲＬをネットワーク網２００を通じ、サーバ１００内のページ掲示板機能を有するサーバ側のプログラム（Ｈ）１２１に送信する（図３５のステップ２０４３）。この情報を受け取ったページ掲示板機能を有するサーバ側のプログラム（Ｈ）１２１は、ページ掲示板機能のデータベース（Ｂ）１１１のページ掲示板一覧データから、受け取ったＵＲＬに対する掲示板データが存在するか否かを確認し（図３６のステップ２０６３）、存在する場合、掲示板ＩＤをクライアントに返信する（図３６のステップ２０６４）。返信を受け取ったページ掲示板機能を有するクライアント側のプログラム（Ｇ）１２２は、操作部のプログラム（Ａ）１１５によってＷｅｂページ１３０上に表示された各機能を起動させるためのボタン群中の意見投稿ボタン（図１２の４１５）の状態を、掲示板が存在する場合には活性化し、掲示板が存在しない場合には不活性化する（図３５のステップ２０４５）。
意見投稿ボタン４１５が活性化されており、閲覧者がそのボタン４１５を選択した場合、ページ掲示板の機能を有するクライアント側のプログラム（Ｇ）１２２は意見投稿・閲覧のためのインターフェイスをＷｅｂページ１３０上に表示する（図３５のステップ２０４７）。
【００３９】
図２３は、ページ掲示板（閲覧）の画面を示す図である。
図２２の画面において、閲覧者が意見を書き込み投稿ボタン４６５を押下すると、ページ掲示板機能クライアントプログラム１２２は、その内容と掲示板ＩＤおよび個性化機能を有するプログラム（Ｂ）１１６を通じて取得したクライアントのデータファイル３０３内の名前情報を、ネットワーク網２００を通じてサーバ１００内のページ掲示板機能を有するサーバ側のプログラム（Ｈ）１２１に送信する（図３５のステップ２０４８）。情報を受け取ったページ掲示板機能を有するサーバ側のプログラム（Ｈ）１２１は、その情報を基にページ掲示板機能のデータベース（Ｂ）１１１のページ掲示板内容データに値を書き込む（図３６のステップ２０６８）。この時、ページ掲示板機能を有するクライアント側のプログラム（Ｇ）１２２は、意見を受け付けた旨のメッセージを表示する（図３５のステップ２０５０）。
図２２の画面において、ページ掲示板機能を有するクライアント側のプログラム（Ｇ）１２２で閲覧ボタン４６６が押下された場合には、新たにウィンドウを開き、閲覧中のＷｅｂページ１３０に対応する掲示板を表示する（図３５のステップ２０５２）。この掲示板は、ページ掲示板機能を有するサーバ側のプログラム（Ｈ）１２１によって動的に生成されたＷｅｂページドキュメントである（図３６のステップ２０６６）。このＷｅｂページドキュメントは、通常の掲示板と同様に、このページ内で意見の投稿も行うことができ（図３６のステップ２０６７）、通常の掲示板として他のＷｅｂページドキュメントからリンクされて使用されることもできる。
【００４０】
図２４は、別表示形式の画面を示す図である。
なお、以上の各機能について図示した内容では、各機能のインターフェイス部分は、Ｗｅｂページドキュメント（Ａ）１４０の上方に固定されて表示されているが、Ｗｅｂページドキュメント（Ａ）１４０とは別のウィンドウ内に表示を行ったり、Ｗｅｂページドキュメント（Ａ）１４０に重ね合わせるようにして表示することもできる。図２４では、Ｗｅｂページ１３０とインターフェイス部分（機能選択画面）とが重ね合わせて表示されている。
【００４１】
図３７〜図４５は、本発明の画面遷移を示す図である。
図３７では、本発明を適用する前後のＷｅｂページの変化例を示している。ホームページアクセス時、あるいはホームページ上の本機能を開始するためのリンク操作時に、別ウィンドウ（コントロールページ）内に、スライドバー表示エリアを表示することも可能であり（図１２）、また、同一ウィンドウ内にスライドバー表示エリアを表示することも可能である（図１３）。どちらの表示形式を選択するかは、サイト運用者が選択する。
【００４２】
図３８では、初期画面からの画面遷移を示している。初回利用時、またはパーソナライズボタン押下時には、図１１に示すパーソナライズ機能の入力画面に遷移する。すなわち、高齢者の場合には、画面表示を大きくする。主婦の場合には、主婦向け情報をＴｏｐに表示する。学生の場合には、色合いを明るくヤング向けにする。外国人の場合、外国語表示にする、等。
また、アクセスランキングボタン押下時には、閲覧者の生活スタイルでのアクセスランキングの高いものをＴｏｐページに表示する。また、サイズ・色彩変更ボタン押下時には、拡大、縮小変更を自在に行えるようにし、白黒、色彩の変更を自在に行えるようにする（図１４）。付箋ボタン押下時には、Ｗｅｂページ（ブラウザ上）に付箋を貼れる仕組みとする（図１９）。また、ページ説明機能によるページ説明がある場合には、ページ移動時にそのページの説明を表示する（図２１）。また、意見投稿ボタン押下時には、ページ閲覧時に、そのページに対してページ上から意見を投稿できるようにする（図２２）。
【００４３】
図３９では、パーソナライズ機能の画面遷移を示している。初回利用時には、自動的に画面に遷移してきた場合は、キャンセルボタンは押下できない状態となり、値を選択してＯＫボタン押下時に、閲覧者のタイプ（高齢者や主婦等）を選択することで、自分に合った画面に遷移される。すなわち、利用者タイプ、名前、年齢の入力値をクライアント基本データに書き込む。また、タイプ・年齢に合わせてクライアント基本データの画面表示倍率を設定する（タイプ別利用順位表示機能、ページ掲示板機能、サイズ・色彩変更機能）。
【００４４】
図４０では、タイプ別利用順位表示機能の画面遷移を示している。パーソナライズ機能で選択した閲覧者のタイプに合わせた当サイト内でのアクセス数が多いページのランキングが表示される。タイプ欄の値も、パーソナライズ機能で選択した値となっている。
一覧内の項目をクリックすると、該当するＷｅｂページに移動し、タイプを選択すると、ランキングの内容を更新し、集計期間を選択すると、ランキングの内容を更新し、戻るボタンを押下すると、初期画面に戻る。
【００４５】
図４１では、サイズ・色彩変更機能の画面遷移を示している。すなわち、表示サイズの変更により図１５のように拡大表示、図１６のように縮小表示することができる。また、図１７に示すように、画面カラー（白黒）を選択したり、画面カラー（通常）を選択することができる。
【００４６】
図４２では、Ｗｅｂ付箋機能１）の画面遷移を示している。内容を入力した後、作成ボタン押下により、付箋が表示される。この付箋は表示中常時ドラッグ操作により移動が可能である。一覧ボタン押下時には、これまでに閲覧者が作成した付箋の一覧が表示される。一覧内の項目をクリックすると、該当のＷｅｂページに移動する。検索ボタンを押下した時には、図２０の検索画面に遷移する。戻るボタン押下時には、初期画面に戻る。
【００４７】
図４３では、Ｗｅｂ付箋機能２）の画面遷移を示している。検索画面で検索語句を入力した後に検索ボタンを押下すると、検索語句が付箋の内容に含まれる付箋の一覧が表示される。一覧内の項目をクリックすると、該当するＷｅｂページに移動する。戻るボタンを押下すると、初期画面に遷移する。
【００４８】
図４４では、ページ掲示板機能の画面遷移を示している。図２２のページ掲示板画面にて、内容記入後、投稿ボタンを押下すると、意見が受け付けられた旨のメッセージを表示する。閲覧ボタンを押下すると、掲示板へ画面を遷移する。閉じるボタンを押下すると、初期画面に戻る。
【００４９】
図４５では、ページ説明掲示板機能の画面遷移を示している。図２３のページ説明掲示板画面に対して、ＯＫボタンを押下すると、初期画面に戻る。
【図面の簡単な説明】
【００５０】
【図１】本発明の一実施例を示す利便性付加機能提供システムの全体ブロック構成図である。
【図２】図１におけるサーバ内のファイルおよびプログラムの構成図である。
【図３】図１に示したクライアント内のプログラム構成図である。
【図４】図２における各構成要素の配置場所と実行場所の対応図である。
【図５】ページ閲覧データのテーブルを示す図である。
【図６】ページ掲示板一覧データのテーブルを示す図である。
【図７】ページ掲示板内容データのテーブルを示す図である。
【図８】ページ説明データのテーブルを示す図である。
【図９】クライアント基本データのテーブルを示す図である。
【図１０】クライアント付箋データのテーブルを示す図である。
【図１１】パーソナライズデータ入力画面の一例を示す図である。
【図１２】各機能選択画面の一例を示す図である。
【図１３】タイプ別利用順位表示画面例を示す図である。
【図１４】サイズ・色彩変更機能画面例を示す図である。
【図１５】表示サイズ変更（拡大）後の画面例を示す図である。
【図１６】表示サイズ変更（縮小）後の画面例を示す図である。
【図１７】色彩変更後の画面例を示す図である。
【図１８】Ｗｅｂ付箋紙機能（作成）画面例を示す図である。
【図１９】Ｗｅｂ付箋紙機能（一覧）画面例を示す図である。
【図２０】Ｗｅｂ付箋紙機能（検索）画面例を示す図である。
【図２１】ページ説明画面例を示す図である。
【図２２】ページ掲示板機能（投稿）画面例を示す図である。
【図２３】ページ掲示板（閲覧）画面例を示す図である。
【図２４】別表示形式画面例を示す図である。
【図２５】本発明の全体概要動作フローチャートである。
【図２６】本発明の全体動作のフローチャートである。
【図２７】本発明の操作部のプログラム（Ａ）の動作フローチャートである。
【図２８】本発明の個性化機能を有するプログラム（Ｂ）の動作フローチャートである。
【図２９】本発明のタイプ別利用順位を表示する機能を有するサーバ側のプログラム（Ｄ）の動作フローチャートである。
【図３０】本発明のタイプ別利用順位を表示する機能を有するクライアント側のプログラム（Ｃ）の動作フローチャートである。
【図３１】本発明のサイズ・色彩を変更する機能を有するプログラム（Ｅ）の動作フローチャートである。
【図３２】本発明のＷｅｂ付箋紙の機能を有するプログラム（Ｆ）の動作フローチャートである。
【図３３】本発明のページ説明機能を有するクライアント側のプログラム（Ｉ）の動作フローチャートである。
【図３４】本発明のページ説明機能を有するサーバ側のプログラム（Ｊ）の動作フローチャートである。
【図３５】本発明のページ掲示板機能を有するクライアント側のプログラム（Ｇ）の動作フローチャートである。
【図３６】本発明のページ掲示板機能を有するサーバ側のプログラム（Ｈ）の動作フローチャートである。
【図３７】本発明の適用前後のＷｅｂページ変化例を示す図である。
【図３８】本発明の初期画面からの画面遷移図である。
【図３９】本発明の個性化機能の画面遷移図である。
【図４０】本発明のタイプ別利用順位を表示する機能の画面遷移図である。
【図４１】本発明のサイズ・色彩変更機能の画面遷移図である。
【図４２】本発明のＷｅｂ付箋紙機能１）の画面遷移図である。
【図４３】本発明のＷｅｂ付箋紙機能２）の画面遷移図である。
【図４４】本発明のページ掲示板機能の画面遷移図である。
【図４５】本発明のページ説明機能の画面遷移図である。
【図４６】画面サイズ変更・色変更別実現形式の説明図である。
【符号の説明】
【００５１】
１００…サービスサーバ、１０１…ページナビサービス、１０２…クイズサービス、
１０３…意見投稿サービス、２００…ネットワーク網、３００…クライアント、
４００…Ｗｅｂサイト、１３０…Ｗｅｂページ、
１４０…操作部のＷｅｂページドキュメント（Ａ）、
１１５…操作部のプログラム（Ａ）、１１６…個性化機能を有するプログラム（Ｂ）、
１１７…タイプ別利用順位を表示する機能を有するクライアント側のプログラム（Ｃ）、  １１８…タイプ別利用順位を表示する機能を有するサーバ側のプログラム（Ｄ）、
１１２…タイプ別利用順位を表示する機能のデータベース（Ａ）、
１１３…ページ説明機能のデータベース（Ｃ）、
１２１…ページ掲示板機能を有するサーバ側のプログラム（Ｈ）、
１１１…ページ掲示板機能のデータベース（Ｂ）、
１２２…ページ掲示板機能を有するクライアント側のプログラム（Ｇ）、
１２３…Ｗｅｂ付箋紙紙機能を有するプログラム（Ｆ）、
１２４…サイズ・色彩変更機能のＷｅｂページドキュメント（Ｂ）、
１２５…サイズ・色彩変更機能を有するプログラム（Ｅ）、
１１９…ページ説明機能を有するクライアント側のプログラム（Ｉ）、
１２０…ページ説明機能を有するサーバ側のプログラム（Ｊ）、
３０１…Ｗｅｂブラウザ、
３０２…プログラム実行環境、３０３…クライアントのデータファイル、
５０１…ページ閲覧データテーブル、５０２…ページ掲示板一覧データテーブル、
５０３…ページ掲示板内容データテーブル、５０５…ページ説明データテーブル、
５０７…クライアント基本データテーブル、５０９…クライアント付箋データテーブル、  ４１５…意見投稿ボタン、４５１…作成用インターフェース、４５２…擬似付箋紙、
４６５…投稿ボタン、４６６…閲覧ボタン。
【図１】
2005063118.tif 000003
【図２】
2005063118.tif 000004
【図３】
2005063118.tif 000005
【図４】
2005063118.tif 000006
【図５】
2005063118.tif 000007
【図６】
2005063118.tif 000008
【図７】
2005063118.tif 000009
【図８】
2005063118.tif 000010
【図９】
2005063118.tif 000011
【図１０】
2005063118.tif 000012
【図１１】
2005063118.tif 000013
【図１２】
2005063118.tif 000014
【図１３】
2005063118.tif 000015
【図１４】
2005063118.tif 000016
【図１５】
2005063118.tif 000017
【図１６】
2005063118.tif 000018
【図１７】
2005063118.tif 000019
【図１８】
2005063118.tif 000020
【図１９】
2005063118.tif 000021
【図２０】
2005063118.tif 000022
【図２１】
2005063118.tif 000023
【図２２】
2005063118.tif 000024
【図２３】
2005063118.tif 000025
【図２４】
2005063118.tif 000026
【図２５】
2005063118.tif 000027
【図２６】
2005063118.tif 000028
【図２７】
2005063118.tif 000029
【図２８】
2005063118.tif 000030
【図２９】
2005063118.tif 000031
【図３０】
2005063118.tif 000032
【図３１】
2005063118.tif 000033
【図３２】
2005063118.tif 000034
【図３３】
2005063118.tif 000035
【図３４】
2005063118.tif 000036
【図３５】
2005063118.tif 000037
【図３６】
2005063118.tif 000038
【図３７】
2005063118.tif 000039
【図３８】
2005063118.tif 000040
【図３９】
2005063118.tif 000041
【図４０】
2005063118.tif 000042
【図４１】
2005063118.tif 000043
【図４２】
2005063118.tif 000044
【図４３】
2005063118.tif 000045
【図４４】
2005063118.tif 000046
【図４５】
2005063118.tif 000047
【図４６】
2005063118.tif 000048